(57)【要約】【課題】  団体旅行や海外旅行に使用する大型旅行かばんにおいて、似たような旅行かばんの中から自分のかばんを一目で判別可能にすることにより、旅行かばんの間違えや盗難を防止する。【解決手段】硬質合成樹脂材により開口部１３を有した本体１２と蓋体２５とをヒンジ１５を以って開閉可能に形成した旅行用かばん１０において、前記本体１２または蓋体２５の一方または両方を透明または半透明に形成し、該本体または蓋体のいずれか一方または両方の内底面ほぼ全体に、絵画、写真または宣伝広告などを表面に設けたデザイン部３１を有した化粧板３０を位置させ、該化粧板の裏面を圧着板３５で前記本体または蓋体の内底面に着脱可能に圧着固定させてある。【選択図】  図１
0003106785.tif 000002
【実用新案登録請求の範囲】
【請求項１】
硬質合成樹脂材により開口部（１３、２６）を有した本体（１２）と蓋体（２５）とをヒンジ（１５）を以って開閉可能に形成した旅行用かばん（１０）において、前記本体（１２）または蓋体（２５）の一方または両方を透明または半透明に形成し、該本体または蓋体のいずれか一方または両方の内底面ほぼ全体に、絵画、写真、ポスターまたは宣伝広告などを表面に設けたデザイン部（３１）を有する化粧板（３０）を位置させ、該化粧板の裏面を圧着板（３５）で前記本体（１２）または蓋体（２５）の内底面に圧着させて着脱可能に取付けることを特徴とする旅行かばん。
【請求項２】
前記化粧板（３０）を圧着した圧着板（３５）の各角部に設けた孔（３６）に、前記本体（１２）または蓋体（２５）の外側からボルトを取付リング（４１）のねじ孔（４２）と蓋体（２５）の孔（２９）とを介して本体または蓋体内に挿通し、該ボルトの先端にナット（３９）で締着固定すると共に、内周面にねじ溝部（４６）を有した保護キャップ（４５）を前記取付リング（４１）に装着して形成することを特徴とする請求項１記載の旅行かばん。
【請求項３】
前記化粧板（３０）を圧着した圧着板（３５）の長手方向両端に、弾発性を有して帯状に形成した圧着片（５１）を位置させ、該圧着片の両端をそれぞれ前記本体（１２）または蓋体（２５）の内底面に位置した固定片（５２）にヒンジ（５３、５３）を介して枢動可能に連結させるばね板手段（５０）により圧着して取付けることを特徴とする請求項１記載の旅行かばん。
【考案の詳細な説明】
【技術分野】
【０００１】
本考案は、硬質合成樹脂材により形成したスーツケースやトランクなどの旅行かばんの改良に関する。
【背景技術】
【０００２】
従来より使用されている硬質合成樹脂材により形成した剛性を有するスーツケースやトランクなど大型の旅行用かばんの形状は多種多様である。しかし、その旅行用かばんの基本的構成は、本体と蓋体をヒンジで縦型横開閉式または横型縦開閉式になるように開閉可能に形成し、底部には曳行用のキャスタを取付け、さらに前記本体と蓋体の開口部に補強用の枠部を取付け、該枠部の縦横側面中央にそれぞれ把手部と鍵部を取付けて形成したものがほとんどである。さらに昨今の旅行用かばんは、前記本体または蓋体に曳行用のキャリーハンドルを出し入れ可能に取付けてあるものなど、旅行用かばんとしての機能は大同小異である。
【０００３】
そのため、団体旅行や海外旅行をはじめ大型の旅行かばんを使用して旅行をする場合、空港やホテルなどで自分の旅行かばんを選別するのが困難で、しばしば旅行かばんを間違えるケースがある。
【０００４】
そこで、旅行かばんの取り違えを防止するための自衛策として、他人とは明らかに相違して目立つ色のバンドを取付けたり、把手部に名札やリボンまたはステッカーなどの目印を取付けることなどが行われている。
【考案の開示】
【考案が解決しようとする課題】
【０００５】
本考案が解決しようとする課題は、前記したごとく、旅行かばんに取付けた目印は、ホテルのロビーや空港の回転する荷物デッキなで搬送されてくる大量の旅行かばんの中から瞬時に自分の旅行かばんに取付けた名札やリボンを判断して取り出すことは困難で、また、自分以外の人もおなじ考えで旅行かばんと似たような目印を付ける場合もある。さらには、旅行かばんに取付けた名札やリボンは、大量の荷物の出し入れを行う際や、搬送中に外れたり、剥がれたりしやすいため、自分の付けた目印が判らなくなる場合があるなど多くの問題点を有している。
【課題を解決するための手段】
【０００６】
本考案は、上記課題を解決するためのもので、硬質合成樹脂材により開口部を有した本体と蓋体とをヒンジを以って開閉可能に形成した旅行用かばんにおいて、前記本体または蓋体の一方または両方を透明または半透明に形成し、該本体または蓋体のいずれか一方または両方の内底面のほぼ全体に、絵画、写真または宣伝広告などを表面に設けたデザイン部を有した化粧板を位置させ、該化粧板の裏面側を圧着板で前記本体または蓋体の内底面に圧着させて着脱可能に取付けることを特徴とする。また、前記化粧板を圧着した圧着板の各角部に設けた孔に、前記本体または蓋体の外側から、周面にねじ部を設けた取付リングを介してボルトを挿通して内側からナットで締着固定すると共に、内周面にねじ溝を有した保護キャップを前記取付リングに装着して形成したことを特徴とする。さらには、前記化粧板を圧着した圧着板の長手方向両端に、弾発性を有する帯状に形成した圧着片を位置させ、該圧着片の両端をそれぞれ前記本体または蓋体の内底面に位置した固定片にヒンジで枢動可能に連結して内底面方向に圧着させることを特徴とするものである。
【考案の効果】
【０００７】
本考案は、旅行用かばんの本体または蓋体の内底面を透明または半透明に形成したことにより、旅行かばんの内底面に位置した特徴のあるデザイン部が外部から一目で判るため、似たような外形の旅行かばんであっても、自分の旅行かばんと他人の旅行かばんを簡単に見分けることができ、旅行かばんの取り違えや盗難を防止することができると共に、該デザイン部に商品のポスターなどを入れることにより歩く宣伝広告としての機能を発揮することができる。
【考案を実施するための最良の形態】
【０００８】
本考案の実施の形態を図面により説明すると、図１は本考案に係る旅行かばんの蓋体内底面に化粧板を取付けた使用状態を示す斜視図、図２は本考案に係る旅行かばんの蓋体内底面に化粧板を取付けた使用状態を示す正面図、図３は蓋体の内底面に化粧板を取付けた状態を示す平面図、図４は図３のＡ―Ａ断面図、図５は第１実施例のボルト・ナットで本体または蓋体に化粧板を取付けた状態を示す要部拡大断面図である。旅行かばん１０は、内部に旅行用の荷物を収容する本体１２と蓋体２５の一方または両方をそれぞれ透明または半透明な硬質合成樹脂材により形成し、該本体と蓋体とをヒンジ１５で縦型横開式または横型縦開式になるように開閉可能に形成してある。
【０００９】
前記本体１２の上方に設けた開口部１３周縁には、該本体と蓋体２５との開口部１３、２６を互いに嵌合するための係合段部を有した補強枠１７を取付けて形成してある。この補強枠１７には、前記旅行かばん１０を携行または曳行するための把手部１８と、前記本体と蓋体とを閉口してロックする鍵部１９を取付けてある。２１は前記旅行かばん１０の底部に設けたキャスタで、該キャスタは車輪の方向を３６０度旋回可能に形成して旅行かばん１０の曳行や押行を容易にしてある。
【００１０】
２２は前記旅行かばん１０を縦置きにした本体上端の背面側に取付けたキャリーハンドルで、該キャリーハンドルは、本体上端から把手片を引出しまたは格納可能に形成し、該キャリーハンドルを引き出して旅行かばんを曳行することにより、前記キャスタが回転して容易に曳行することができる。前記蓋体２５の開口部２６周縁には連結枠２７を取付けてあり、該連結枠の内側に設けた係止段部２８と前記補強枠１７とを嵌合可能に形成してある。
【００１１】
３０は、板紙または合成樹脂板などで形成した化粧板で、該化粧板の表面には任意絵画、写真、ポスターまたは宣伝広告などを印刷などにより設けたデザイン部３１を形成し、該デザイン部を前記本体１２または蓋体２５の内底面に位置させると、透明または半透明に形成した本体または蓋体の外側から、該デザイン部３１の形状、模様を一目で判別することができる。
【００１２】
３５は、板紙または合成樹脂板などで形成した圧着板で、該圧着板を前記本体または蓋体の内底面とほぼ同じ大きさに形成し、該圧着板の各角部には、後記するボルト３８を挿通するための孔３６をそれぞれ設けてある。この圧着板３５は、本体１２または蓋体２５の内底面に位置させた前記化粧板３０の裏面全体を内底面に圧着することにより、旅行かばん１０の使用中に化粧板３０が所定位置からズレるのを防止している。
【００１３】
３８は、前記圧着板３５を蓋体２５の内底面に着脱可能に取付ける取付手段の第１実施例を示すボルトで、図５に示すごとく、ボルト３８を蓋体２５の外側から取付リング４１のねじ孔４２と蓋体２５の孔２９を介して蓋体２５の内底面に位置した圧着板３５の孔３６に挿通してナット３９で締着することにより、化粧板３０を本体１２または蓋体２５の内底面に着脱可能に圧着固定することができる。
【００１４】
保護キャップ４５と取付リング４１との結合は、取付リング４１の外周面に設けたねじ溝４３と、保護キャップ４５の内周面に設けたねじ部４６とを螺合して装着することにより連結する。保護キャップ４５でボルト３８の頭部を保護したことにより、本体１２または蓋体２５の外底面にボルト３８の頭部が突出していないので、搬送中に指を傷つけたり、他の旅行かばんを傷つけたりするのを防止することができる。また、前記取付リング４１に保護キャップ４５を装着することにより、本体１２または蓋体２５を床に寝かせたとき、該保護キャップの頭部が床または地面と接することにより、本体１２または蓋体２５の表面が傷つくのを防止することができる。
【００１５】
前記化粧板３０を本体１２または蓋体２５の内底面に圧着する手段として前記したボルト・ナットではなく、図６、７に示すごとく、第２の実施例としてばね板手段５０によって着脱可能に圧着して取付けてもよい。
【００１６】
ばね板手段５０は、前記化粧板３０を圧着する圧着板３５の長手方向両端に、弾発性を有して帯状に形成した圧着片５１を位置させ、該圧着片の両端をそれぞれ前記本体１２または蓋体２５の内底面の所定位置に取付けた固定板５２にヒンジ５３で枢動可能に連結し、前記圧着片５１を内底面方向に弾発させて圧着してある。
【００１７】
以下、本考案の実施形態の作用について説明すると、旅行用かばん１０の本体１２または蓋体２５のいずれか一方、または両方の内底面に化粧板３０のデザイン部３１を該かばんの外側に向けて内底面に位置し、圧着して取付けてある。ついで、該化粧板より一回り大きく形成した圧着板３５を化粧板３０の裏面に密着して被せて取付けてある。
【００１８】
本体１２または蓋体２５の内底面の略全体に化粧板３０と圧着板３５を重ねて被せることにより、透明または半透明に形成した底面側、即ち、内底面の内部を外側から隠すことができるので外部から本体内に収容した物を判からなくすることができ、使用者のプライバシーを十分に保護することができる。
【００１９】
次いで、ボルト３８の先端を本体１２または蓋体２５の外側から取付リング４１のねじ孔４２と孔２９を介して内底面に位置した圧着板３５の孔３６に挿通し、該ボルトの先端にナット３９を螺着することにより圧着板３５を本体１２または蓋体２５の内底面の内側に着脱可能に取付けることができる。
【００２０】
前記取付リング４１の外周面に設けたねじ溝４６と、保護キャップ４５のねじ部４６を螺着してボルト３８の頭部を保護することにより、ボルト３８の頭部が本体または蓋体の外側に突出して指を傷つけたり他の旅行かばんを傷つけるのを防止できる。さらに、取付リング４１に保護キャップ４５を装着することにより、本体１２または蓋体２５を床に寝かせたとき、該保護キャップの頭部が床または地面と接するので、本体または蓋体の表面が傷つくのを防止することができる。
【００２１】
前記化粧板３０は、旅行かばん１０を購入した店に用意してある多様な柄のデザイン部を具えた化粧板を複数枚購入または提供されることにより、旅行の度に化粧板を交換することができ、多様なバリエーションを楽しむことができる。さらに、デザイン部３１に商品の宣伝広告を印刷したり、また、コンサートや公演のポスターなどを入れることにより旅行かばんを持って移動中に宣伝広告や公演のお知らせをすることがで、動く宣伝効果を発揮することができる。
【００２２】
次いで、化粧板を圧着する第２の実施例を示すばね板手段５０は、本体１２または蓋体２５の内底面で、圧着板３５の長手方向両端に弾発性を有する帯状に形成した圧着片５１を位置させ、該圧着片の両端を前記本体１２または蓋体２５の内底面の所定位置に取付けた固定板５２にヒンジ５３で枢動可能に連結してある。
【００２３】
このばね板５０は、図７に示すごとく、圧着片５１の中央部分を持ち上げることにより該圧着片が開口部方向に押し上げられて圧着板３５から離れるので、簡単に圧着板３５と化粧板３０を外すことができる。さらに化粧板３０を交換した後、該化粧板の裏面に圧着板３５を合わせ、さらに圧着片５１を蓋体２５の内底面方向に押圧すると、圧着片５１の弾発力が押圧力に負けて反転し、本体１２または蓋体２５の内底面への押圧力となって圧着板３５を押圧して取付けることができる。
【００２４】
このばね板装置５０は、本体１２または蓋体２５の外底面に突起部分がないので、旅行かばんの移動中に他の旅行かばんに引っかかったりすることがないので旅行かばんの傷つきを防止することができる。
【図面の簡単な説明】
【００２５】
【図１】本考案に係る旅行かばんの蓋体内底面に化粧板を取付けた使用状態の斜視図である。
【図２】本考案に係る旅行かばんの蓋体内底面に化粧板を取付けた使用状態の正面図である。
【図３】蓋体の内底面に化粧板を取付けた状態を示す平面図である。
【図４】図３のＡ―Ａ断面図である。
【図５】蓋体に化粧板を取付けた状態の要部拡大断面図である。
【図６】第２実施例を示すばね板で蓋体の内底面に圧着板を狭着した状態を示す平面図である。
【図７】図６のＢ―Ｂ線断面図である。
【符号の説明】
【００２６】
１０    旅行かばん
１２    本体
１３    開口部
１５    ヒンジ
２５    蓋体
２６    開口部
３０    化粧板
３１    デザイン部
３５    圧着板
３６    孔
３８    ボルト
３９    ナット
４１    取付リング
４５    保護キャップ
５０    ばね板手段
５１    圧着片  
５２    固定片
５３    ヒンジ
【図１】
0003106785.tif 000003
【図２】
0003106785.tif 000004
【図３】
0003106785.tif 000005
【図４】
0003106785.tif 000006
【図５】
0003106785.tif 000007
【図６】
0003106785.tif 000008
【図７】
0003106785.tif 000009